【手続補正書】
【提出日】平成16年9月30日(2004.9.30)
【手続補正１】
【補正対象書類名】明細書
【補正対象項目名】特許請求の範囲
【補正方法】変更
【補正の内容】
【特許請求の範囲】
【請求項１】
返信音声メッセージを音声メールボックス網を通じてメッセージ受信者の音声メッセージシステムからメッセージ送信者の音声メッセージシステムに送るための方法であって、この前記返信メッセージが、前記網を通じて前記メッセージ送信者の音声メッセージシステムから前記メッセージ受信者の音声メッセージシステムに送られた発端のメッセージに応答して送られ、この方法が：
前記発端のメッセージと関連するメッセージファイルを受信するステップを含み、ここで、この前記受信されたメッセージファイルが、プリペイド返信が前記メッセージの送信者によって許可されているか否かを示すプリペイド返信フィールドを含み；この方法がさらに
前記受信されたメッセージファイルの前記プリペイド返信フィールドを読み出すことによって、プリペイド返信が前記メッセージの送信者によって許可されているか否かを判定するステップ；および
前記返信メッセージと関連する返信メッセージ明細レコードを作成するステップを含み、ここで、この前記返信メッセージ明細レコードが、プリペイド返信が前記メッセージ送信者によって許可されているか否かを示すプリペイド返信フィールドを含み、この方法がさらに
前記返信メッセージ明細レコードを前記メッセージ受信者の音声メッセージシステムから、前記返信メッセージの前記メッセージ受信者の音声メッセージシステムから前記メッセージ送信者の音声メッセージシステムへの通信に応答して、処理ユニットに送るステップ；
前記返信メッセージ明細レコードのプリペイド返信フィールドを読み出すステップ；
前記返信メッセージ明細レコードの前記プリペイド返信フィールドが前記メッセージ送信者がプリペイド返信を許可したことを示す場合は、前記返信メッセージの前記通信に対する料金をメッセージの送信者に割当てる（請求する）ステップ；および
前記返信メッセージ明細レコードの前記プリペイド返信フィールドが前記メッセージ送信者がプリペイド返信を許可してないことを示す場合は、前記返信メッセージの前記通信に対する料金をメッセージの受信者に割当てる（請求する）ステップを含むことを特徴とする方法。
【請求項２】
さらに
前記メッセージの送信者に対して、プリペイド返信を許可するか否か指定することを催促（プロンプト）するステップ；
前記メッセージの送信者から、プリペイド返信を許可するか否かを示す応答を受信するステップ；
前記メッセージ送信者の音声メッセージシステムの所で、前記発端のメッセージと関連する前記メッセージファイルを作成するステップ；
前記メッセージファイルの前記プリペイド返信フィールド内に前記メッセージ送信者が、プリペイド返信を許可したか否かを示すステップ；および
前記メッセージファイルを前記メッセージ送信者の音声メッセージシステムから前記メッセージ受信者の音声メッセージシステムに通信するステップを含むことを特徴とする請求項１の方法。
【請求項３】
前記メッセージ送信者の音声メッセージシステムと前記メッセージ受信者の音声メッセージシステムが、同じで、同様であることを特徴とする請求項１の方法。
【請求項４】
返信メッセージを通信網を通じて被呼パーティのメッセージサービスシステムから発呼パーティのメッセージサービスシステムに送るための方法であって、この方法が：
発呼パーティのメッセージサービスシステムから被呼パーティのメッセージサービスシステムに送られた発端のメッセージと関連するメッセージファイルを受信するステップを含み、この前記受信されたメッセージファイルが、プリペイド返信が前記発呼パーティによって許可されているか否かを示すプリペイド返信フィールドを含み、この方法がさらに
前記受信されたメッセージファイルの前記プリペイド返信フィールドを読み出すことによって、プリペイド返信が前記発呼パーティによって許可されているか否かを判定するステップ；および
前記返信メッセージと関連する返信メッセージ明細レコードを作成するステップを含み、ここで、この前記返信メッセージ明細レコードが、プリペイド返信が前記発呼パーティによって許可されているか否かを示すプリペイド返信フィールドを含むことを特徴とする方法。
【請求項５】
さらに：
前記返信メッセージ明細レコードを、前記被呼パーティのメッセージサービスシステムから、前記被呼パーティのメッセージサービスシステムから前記発呼パーティのメッセージサービスシステムへの前記返信メッセージの通信に応答して、処理ユニットに送るステップ；
前記返信メッセージ明細レコードの前記プリペイド返信フィールドを読み出すステップ；および
前記返信メッセージ明細レコードの前記プリペイド返信フィールドが前記発呼パーティがプリペイド返信を許可したことを示す場合は、前記返信メッセージの前記伝送に対する料金を前記発呼パーティに割当てる（請求する）ステップが含まれることを特徴とする請求項４の方法。
【請求項６】
前記返信メッセージ明細レコードが前記処理システムと関連するデータベース内に格納されることを特徴とする請求項５の方法。
【請求項７】
さらに、前記返信メッセージ明細レコードの前記プリペイド返信フィールドが前記発呼パーティがプリペイド返信を許可しないことを示す場合は、前記返信メッセージの前記伝送に対する料金を前記被呼パーティに割当てる（請求する）ステップが含まれることを特徴とする請求項５の方法。
【請求項８】
前記返信メッセージが音声メッセージであることを特徴とする請求項５の方法。
【請求項９】
前記返信メッセージがファクシミリ伝送であることを特徴とする請求項５の方法。
【請求項１０】
前記返信メッセージがＥ−メールであることを特徴とする請求項５の方法。
【請求項１１】
さらに、前記発呼パーティによって前記被呼パーティへ伝送された前記発端のメッセージに応答して、前記発呼パーティが返信メッセージの前記プリペイドを許可しているか否か判定するステップが含まれることを特徴とする請求項４の方法。
【請求項１２】
さらに：
前記発呼パーティに対して、プリペイド返信を許可するか否かを指定するように催促（プロンプト）するステップ；
前記発呼パーティからのプリペイド返信を許可するか否かを示す応答を受信するステップ；
前記発呼パーティのメッセージサービスシステムの所で前記発端のメッセージと関連する前記メッセージファイルを作成するステップ；
前記メッセージファイルの前記プリペイド返信フィールド内に前記発呼パーティがプリペイド返信を許可したか否かを示すステップ；および
前記メッセージファイルを前記発呼パーティのメッセージサービスシステムから前記被呼パーティのメッセージサービスシステムに送るステップが含まれることを特徴とする請求項１１の方法。
【請求項１３】
さらに：
前記返信メッセージと関連する返信メッセージファイルを作成するステップが含まれ、ここで、この前記返信メッセージファイルが、プリペイド返信が前記発呼パーティによって許可されているか否かを示すプリペイド返信フィールドを持ち；さらに
前記返信メッセージファイルを被呼パーティのメッセージサービスシステムから発呼パーティのメッセージサービスシステムに送るステップ；および
前記返信メッセージファイルの前記プリペイド返信フィールドを読み出すことによって、前記返信メッセージが前記発呼パーティによってプリペイドされたか否かを判定するステップが含まれることを特徴とする請求項４の方法。
【請求項１４】
前記発呼パーティのメッセージサービスシステムと前記被呼パーティのメッセージサービスシステムが、同じで、同様であることを特徴とする請求項４の方法。
【請求項１５】
返信メッセージを通信網を通じて被呼パーティの音声メッセージサービスシステムから発呼パーティの音声メッセージサービスシステムに送るための方法であって、この方法が：
前記発呼パーティによって前記被呼パーティへ送信される発端のメッセージに応答して、返信メッセージの前記プリペイを前記発呼パーティが許可するか否かを判定するステップ；および
前記返信メッセージと関連する返信メッセージファイルを作成するステップを含み、ここで、この前記返信メッセージファイルが、前記発呼パーティによってプリペイド返信が許可されているか否かを示すプリペイド返信フィールドを持ち；この方法がさらに
前記返信メッセージファイルを、前記被呼パーティの音声メッセージサービスシステムから前記発呼パーティの音声メッセージサービスシステムに送るステップを含むことを特徴とする方法。
【請求項１６】
前記発呼パーティがプリペイド返信を許可したか否かを判定するステップが：
発呼パーティの音声メッセージサービスシステムから送られた前記発端のメッセージと関連するメッセージファイルを受信するステップを含み、ここで、この前記受信されたメッセージファイルが、プリペイド返信が前記発呼パーティによって許可されたか否かを示すプリペイド返信フィールドを持ち、この前記判定するステップがさらに
前記受信されたメッセージファイルの前記プリペイド返信フィールドを読み出すことによって前記発呼パーティがプリペイド返信を許可したか否かを判定するステップを含むことを特徴とする請求項１５の方法。
【請求項１７】
さらに：
前記発呼パーティに対して、プリペイド返信を許可するか否かを指定するように催促（プロンプト）するステップ；
前記発呼パーティからプリペイド返信を許可するか否かを示す応答を受信するステップ；
前記発呼パーティの音声メッセージサービスシステムの所で前記発端のメッセージと関連する前記メッセージファイルを作成するステップ；
前記メッセージファイルの前記プリペイド返信フィールド内に前記発呼パーティがプリペイド返信を許可したか否かを示すステップ；および
前記メッセージファイルを前記発呼パーティの音声メッセージサービスシステムから前記被呼パーティの音声メッセージサービスシステムに送るステップが含まれることを特徴とする請求項１６の方法。
【請求項１８】
さらに：
前記返信メッセージと関連する返信メッセージ明細レコードを作成するステップが含まれ；ここで、この前記返信メッセージ明細レコードが、プリペイド返信が前記発呼パーティによって許可されているか否かを示すプリペイド返信フィールドを持ち；さらに
前記返信メッセージ明細レコードを前記被呼パーティの音声メッセージサービスシステムから処理システムに送るステップ；
前記返信メッセージ明細レコードの前記プリペイド返信フィールドを読み出すステップ；および
前記返信メッセージ明細レコードの前記プリペイド返信フィールドが前記発呼パーティがプリペイド返信を許可したことを示す場合は、前記返信メッセージの前記伝送に対する料金を、前記発呼パーティに割当てる（請求する）ステップが含まれることを特徴とする請求項１６の方法。
【請求項１９】
前記返信メッセージ明細レコードが前記処理システムと関連するデータベース内に格納されることを特徴とする請求項１８の方法。
【請求項２０】
さらに、前記返信メッセージ明細レコードの前記プリペイド返信フィールドが前記発呼パーティがプリペイド返信を許可しないことを示す場合は、前記返信メッセージの前記伝送に対する料金を前記被呼パーティに割当てる（請求する）ステップが含まれることを特徴とする請求項１８の方法。
【請求項２１】
前記発呼パーティのメッセージサービスシステムと前記被呼パーティのメッセージサービスシステムが、同じで、同様であることを特徴とする請求項１７の方法。
【請求項２２】
前記返信メッセージが音声メッセージであることを特徴とする請求項２０の方法。
【請求項２３】
前記返信メッセージがファクシミリ伝送であることを特徴とする請求項２０の方法。
【請求項２４】
前記返信メッセージがＥ−メールであることを特徴とする請求項２０の方法。
【請求項２５】
返信メッセージを通信網を通じて被呼パーティのメッセージサービスシステムから発呼パーティのメッセージサービスシステムに送るためのメッセージおよび課金システムであって、このシステムが：
前記発呼パーティのメッセージサービスシステムを前記被呼パーティのメッセージサービスシステムに通信的に接続するためのデータ網；および
前記メッセージサービスシステムによって作成された使用明細レコードを処理するための処理システムを含み、この前記処理システムが、前記データ網を介して前記メッセージサービスシステムに通信的に接続され；
ここで、前記被呼パーティのメッセージサービスシステムが、発端のメッセージと関連する前記発呼パーティのメッセージサービスシステムによって作成され、前記発呼パーティのメッセージサービスシステムから前記データ網を通じて送られたメッセージファイルを受信するように改良され、ここで、前記受信されたメッセージファイルが、前記発呼パーティによってプリペイド返信が許可されているか否かを示すプリペイド返信フィールドを含み；前記被呼パーティのメッセージサービスシステムがさらに前記受信されたメッセージファイルの前記プリペイド返信フィールドを読み出してプリペイド返信が前記発呼パーティによって許可されているか否か判定し、次に、前記発端のメッセージに対する前記返信メッセージと関連する返信メッセージ明細レコードを作成するように改良され、ここで、この前記返信メッセージ明細レコードが、プリペイド返信が前記発呼パーティによって許可されているか否かを示すプリペイド返信フィールドを含み；前記被呼パーティのメッセージサービスシステムがさらに前記返信メッセージ明細レコードを、前記処理ユニットに、前記被呼パーティのメッセージサービスシステムから前記発呼パーティのメッセージサービスシステムへの返信メッセージの送信に応答して、送るように改良されることを特徴とするシステム。
【請求項２６】
前記処理ユニットが、前記返信メッセージ明細レコードの前記プリペイド返信フィールドを読み出し；前記返信メッセージ明細レコードの前記プリペイド返信フィールドが前記発呼パーティがプリペイド返信を許可することを示す場合、前記返信メッセージの前記伝送に対する料金を、前記発呼パーティに請求するように改良されることを特徴とする請求項２５のメッセージおよび課金システム。
【請求項２７】
前記発呼パーティのメッセージサービスシステムと前記被呼パーティのメッセージサービスシステムが、同じで、同様であることを特徴とする請求項２６のメッセージおよび課金システム。
【請求項２８】
返信メッセージを通信網を通じてメッセージの受信者からメッセージの送信者に送るための方法であって、ここで、この前記返信メッセージが、前記メッセージの送信者から前記メッセージの受信者に前記網を通じて通信された発端のメッセージに応答して送信され、この方法が：
前記メッセージの受信者に、前記メッセージの送信者が前記返信メッセージに対して支払うつもりであることを示す指標を提供するステップ；および
前記返信メッセージを前記メッセージの送信者に通信するステップを含むことを特徴とする方法。
【請求項２９】
さらに、前記メッセージの送信者から、前記メッセージの送信者が前記返信メッセージに対して支払うことの許可を受信するステップが含まれることを特徴とする請求項２８の方法。
【請求項３０】
さらに、前記返信メッセージの前記通信のコストを前記メッセージ送信者に割当てる（請求する）ステップが含まれることを特徴とする請求項２８の方法。
【請求項３１】
前記メッセージ受信者に提供される前記指標が、前記発端のメッセージと関連する前記メッセージファイルの形式の内にあり、これが、プリペイド返信が前記メッセージ送信者によって許可されているか否かを示すプリペイド返信フィールドを含むことを特徴とする請求項２８の方法。
【請求項３２】
前記返信メッセージが音声メッセージであることを特徴とする請求項２８の方法。
【請求項３３】
前記返信メッセージがファクシミリ伝送であることを特徴とする請求項２８の方法。
【請求項３４】
前記返信メッセージがＥ−メールであることを特徴とする請求項２８の方法。